(57)【要約】      （修正有）【課題】イベントや特殊なテント組み立て時、骨組みに使用するパイプの組み立ての部品を少なくし、スパナなどボルト・ナットを締める道具も必要なく、天幕を張る際の天幕取り付け用ロープの係止部の役割もなす、簡単、短時間で組み立て作業ができるワンタッチテント金具を提供する。【解決手段】断面丸型グラビティロック本体であって、ロックピン３が吐出する反対端部近傍に、グラビティロック本体の中心軸に垂直に貫通する穴８を開け、該穴にリング６を装備したワンタッチテント金具１であって、リング形状は丸型にとられず三角型でも可能としたものである。【選択図】図２
0003228851.tif 000002
【実用新案登録請求の範囲】
【請求項１】
断面丸型グラビティロック本体であって、ロックピンが吐出する反対端部近傍に、前記グラビティロック本体の中心軸に垂直に貫通する穴を開け、該穴にリングを装備したことを特徴とするワンタッチテント金具。
【考案の詳細な説明】
【技術分野】
【０００１】  本考案はテントパイプの継手金具に関する。
【背景技術】
【０００２】  一般的な家庭用テントではなく、イベントや特殊なテントはパイプを組み付けてその上に天幕を被せ組み立てている。このときパイプの継ぎ手部をボルト・ナットで固定し、天幕を付属のロープなどを使い要所固縛している。
【先行技術文献】
【特許文献】
【０００３】
【特許文献１】特開２０１９−１５７４４６
【考案の概要】
【考案が解決しようとする課題】
【０００４】  従来イベントや特殊なテントは、パイプを組み付けてその上に天幕を被せ組み立てている。このときパイプの継ぎ手部をボルト・ナットで固定しているわけだが、組み立て者は、ボルトとナットの二つの部品とそれらを締結するための工具を携帯し、脚立や台などを用いてパイプ組立を行っている。しかしパイプの組み立ての際、ボルトやナットの脱落や、またそれらの締め付けなどの作業性が悪く、作業時間がかかっていた。そして天幕の固定も固定部が無く作業性が整っていないため効率も悪く煩雑でもあった。つまり、従来の方法ではテント組立時、パイプ組立部材も多く携帯物がかさばり、天幕の固定も不安定で、作業時間や労働負荷がともに大きいものであった。
【課題を解決するための手段】
【０００５】  断面丸型グラビティロック本体であって、ロックピンが吐出する反対端部近傍に、前記グラビティロック本体の中心軸に垂直に貫通する穴を開け、該穴にリングを装備したワンタッチテント金具で、リング形状は丸型にとられず三角型でも可能としたものである。
【考案の効果】
【０００６】  本考案のワンタッチテント金具を用いると、テント組み立て時の組み立て部品を少なくでき、スパナなどボルト・ナットを締める道具も必要なく、簡単、短時間で組み立て作業ができるものである。また本考案のワンタッチテント金具は抜け出し防止用のロックピンとリングがボルトの頭とナットの役割を果たしており、さらにリングは天幕を張る際の天幕取り付け用ロープの係止部の役割もなしているものである。つまり本考案部品ひとつでボルト、ナット、天幕係止の三役を担っていて、作業性もよく組み立て作業時間の短縮にもなっている。
【図面の簡単な説明】
【０００７】
【図１】本考案の一実施例の平面図
【図２】本考案の一実施例の正面図の断面図
【図３】従来方法のボルト・ナットを用いたパイプ連結時の実施例
【図４】本考案のパイプ連結時の実施例
【実施例】
【０００８】  図１、図２は本考案を実施した一実施例で、図１は平面図、図２は正面図の断面図をそれぞれ表している。ワンタッチテント金具１は本体２とロックピン３、ピン軸４、ばね５、リング６で構成している。【０００９】  本体２のロックピン３側の端部は、テント用パイプの係止穴１３に挿入しやすいように半球型７が施されている。ロックピン３は、本体２の切欠き９からピン軸４を介してばね５により本体２の外方向に負勢吐出させている。また本体２のロックピン３側の反対側端部には本体２の軸心に垂直にリング穴８が貫通して設けられリング６が装着されている。【００１０】  リング６は、天幕の係止用ロープを手際よく固縛できるように内径５〜６ｃｍ程度で成形されている。リング６の内径は天幕の係止用ロープの太さに応じて変更可能であり、さらにリング６は図では丸型を成しているが三角型でも良く、三角型の切断部のある一辺が本体２の内側になるよう設けるようにすることもできる。【００１１】  図３は従来のテント用パイプの連結を示すものである。テント用パイプ１０はパイプ端部を板状に圧縮し、パイプ連結用ボルト１１のオネジ部１２が貫通できる係止穴１３を設け、必要本数のテント用パイプ１０の係止穴１３を同軸上に保持し、パイプ連結用ボルト１１のオネジ部１２を貫通させてナット１５により締結固定させる。【００１２】  このときテント用パイプ１０に対しパイプ連結用ボルト１１は相対的に小さいため複数本のテント用パイプ１０の係止穴１３をボルトのオネジ部１２に嵌合させるには手間がかかってしまう。さらに不安定な状態でナット１５をオネジ部１２に装着するわけだが、このときナット１５の脱落があったりねじの嵌め合いに手間取ったりしていた。【００１３】  図４は本考案の実施図を示すものである。従来のテント用パイプと同様に、テント用パイプ１０のパイプ端部を板状に圧縮し、本考案のワンタッチテント金具１の本体２が貫通できる係止穴１３を板状部に設け、必要本数のテント用パイプ１０の係止穴１３を同軸上に保持し、本考案のワンタッチテント金具１の本体２を係止穴１３に嵌合し、ロックピン３が複数本のテント用パイプ係止穴１３を介した後本体２の外側に吐出し、テント用パイプ１０の本体２からの抜け出しを防止している。また本体２のロックピン３とは反対部に装置されているリング６によりテント用パイプ１０はワンタッチテント金具１から離脱することはない。そして天幕の要所に取り付けられたロープをリング６に係止し、テントの組み立てを終了することができる。【００１４】  テントを畳むときは、天幕の取り付け用ロープをほどき、テント用パイプ１０の係止穴１３に装着されている本考案のワンタッチテント金具１の、本体２のピン３を本体２内に押し込み、テント用パイプ１０の係止穴１３から抜き出し、テント用パイプ１０の組み立てを分解する。この時も特別な道具を必要とすることなく容易に短時間で作業を終了することができるものである。【００１５】  つまり、本考案のワンタッチテント金具を用いると、テント組み立て時の組み立て部品を少なくでき、スパナなどボルト・ナットを締める道具も必要なく、簡単、短時間で組み立て作業ができるものである。また本考案のワンタッチテ��ト金具は抜け出し防止用のロックピンとリングがボルトの頭とナットの役割を果たし、さらにリングは天幕を張る際の天幕取り付け用ロープの係止部の役割もなしているものである。つまり本考案部品ひとつでボルト、ナット、天幕係止の三役を担っていて、作業性もよく組み立て作業時間の短縮にもなっている。
【符号の説明】
【００１６】  １  ワンタッチテント金具
２  本体
３  ロックピン
４  ピン軸
５  ばね
６  リング
７  半球型
８  リング穴
９  切欠き
１０  テント用パイプ
１１  ボルト
１２  ボルトオネジ
１３  係止穴
１４  ボルト頭
１５  ナット
【図１】
0003228851.tif 000003
【図２】
0003228851.tif 000004
【図３】
0003228851.tif 000005
【図４】
0003228851.tif 000006